(57)【要約】      （修正有）【課題】座部と脚部とを折り畳むことができる折り畳み椅子であって、座部に係る重量を脚部自体で担うことのでき、かつ、例えば仏事等の荘厳性が必要とされる場面において好適な開脚形状を提供することのできる折り畳み椅子を提供する。【解決手段】座部と少なくとも４本の脚３０ａ〜３０ｄを備える脚部とを備え、脚部は、一対の脚３０ａ，３０ｂと、一対の脚３０ａ，３０ｂに対してそれぞれ水平方向に椅子内方に向けて回転して収納される回転脚３０ｃ，３０ｄとを有し、座部は、一対の脚３０ａ，３０ｂ間に横架される架材に対して垂直方向に椅子内方に向けて回転して収納され、開脚状態において、座部は脚部の上部に載置するように構成する。【選択図】図５
0003203554.tif 000002
【実用新案登録請求の範囲】
【請求項１】
座部と少なくとも４本の脚を備える脚部とを備え、
前記脚部は、一対の前記脚と、前記一対の脚に対してそれぞれ水平方向に椅子内方に向けて回転して収納されてなる回転脚とを有し、
前記座部は、前記一対の脚間に横架される架材に対して垂直方向に椅子内方に向けて回転して収納されてなり、
開脚状態において、前記座部は前記脚部の上部に載置されてなる
ことを特徴とする折り畳み椅子。
【請求項２】
前記一対の前記脚に対してそれぞれ水平方向に椅子内方に向けて回転して収納されてなる回転脚は、一方の回転脚が他方の回転脚に対して折り畳まれるように、前記一方の回転脚の幅厚を有する収納しろを他方の回転脚に設けてなることを特徴とする請求項１に記載の折り畳み椅子。
【請求項３】
前記座面は、前記座面が椅子内方に向けて回転して収納されるときに、椅子内方に向けて回転して折り畳まれた前記２本の回転脚に重ねて収納できるように、前記架材に前記２つの回転脚の幅厚を有する収納しろを設けてなることを特徴とする請求項１又は２に記載の折り畳み椅子。
【請求項４】
前記一対の前記脚と、前記一対の脚に対してそれぞれ水平方向に椅子内方に向けて回転して収納されてなる回転脚を開脚状態に維持するように、開脚状態で前記回転脚間に嵌入される係止手段を備えてなることを特徴とする請求項１乃至３の何れか一に記載の折り畳み椅子。
【考案の詳細な説明】
【技術分野】
【０００１】
本考案は、例えば、仏事等に使用する椅子であって、収納時には座部と脚部とを折り畳むことができる折り畳み椅子に関するものである。
【背景技術】
【０００２】
一般に仏事等に使用する椅子は、使用しない場合は、脚部を折り畳む等の手段により閉脚して収納され、使用時においては、開脚し展開して使用するものが使用されている。
【０００３】
上記のような構成を有する椅子としては、従来より、例えば、特開２００２−１６５６６６号（特許文献１）に記載されているものが周知であり、前記公報に記載のものは、木製の椅子を簡単かつ安全に折り畳めることと、開脚時、座部にかなりの荷重を加えても安定した開脚状態を保持できることを目的として、脚として、背もたれ面を有する後脚と、座部の下面に位置する前脚と支持脚からなり、水平に位置する肘掛け部、座部とほぼ垂直に位置する後脚、前脚とで枢着部、支持棒を介して変形可能な方形枠を形成し、開脚時には座部左右中間部側面より外側に向かって支持脚上端部前脚の中間部適所の順に当接させ、左右を貫く支持棒を軸として前脚、支持脚が八の字に開くと同時に支持脚の上に後脚が載置し、閉脚時には後脚と支持脚を連結するリンク具の回動により、後脚と支持脚が離れつつ全体が折り畳める構造を備えるように構成されている。
【先行技術文献】
【特許文献】
【０００４】
【特許文献１】特開２００２−１６５６６６号号公報  第１頁
【考案の概要】
【考案が解決しようとする課題】
【０００５】
しかしながら、上記従来の構成においては、両側の前脚と後脚がそれぞれ座部の両側面に挿通された支持軸で軸支されて、前記支持軸を中心に前脚と後脚をＸ字状に開脚するとともに、前記座部に係る重量の大部を前記支持軸により担うことになり、強度上問題が生じる。また、側面がＸ字状に開脚する折り畳み椅子は、例えば、仏事等に使用する場合には適当ではない。
【０００６】
本考案は、かかる点に鑑みてなされたものであり、その目的とするところは、座部と脚部とを折り畳むことができる折り畳み椅子であって、座部に係る重量を脚部自体で担うことができ、かつ、例えば仏事等の荘厳性が必要とされる場面において好適な開脚形状を提供することのできる折り畳み椅子を提供することにある。
【０００７】
また、本考案の他の目的は、収納する場合に、嵩張らず閉脚でき収納することができる折り畳み椅子を提供することにある。
【課題を解決するための手段】
【０００８】
請求項１に記載の折り畳み椅子は、座部と少なくとも４本の脚を備える脚部とを備え、前記脚部は、一対の前記脚と、前記一対の脚に対してそれぞれ水平方向に椅子内方に向けて回転して収納されてなる回転脚とを有し、前記座部は、前記一対の脚間に横架される架材に対して垂直方向に椅子内方に向けて回転して収納されてなり、開脚状態において、前記座部は前記脚部の上部に載置されてなることを特徴とする折り畳み椅子。
【０００９】
請求項１に記載の折り畳み椅子にあっては、座部と少なくとも４本の脚を備える脚部とを備え、前記脚部は、一対の前記脚と、前記一対の脚に対してそれぞれ水平方向に椅子内方に向けて回転して収納されてなる回転脚とを有し、前記座部は、前記一対の脚間に横架される架材に対して垂直方向に椅子内方に向けて回転して収納されてなり、開脚状態において、前記座部は前記脚部の上部に載置されているので、前記座部に係る重量の大部を前記脚部により担うことになり、強度が担保される。また、少なくとも４本の脚は垂直に立設されるので、例えば、仏事等の荘厳性を必要される場合には好適な形状となる。
【００１０】
請求項２に記載の折り畳み椅子は、請求項１に記載の折り畳み椅子に加えて、前記一対の前記脚に対してそれぞれ水平方向に椅子内方に向けて回転して収納されてなる回転脚は、一方の回転脚が他方の回転脚に対して折り畳まれるように、前記一方の回転脚の幅厚を有する収納しろを他方の回転脚に設けてなることを特徴とする。
【００１１】
請求項２に記載の折り畳み椅子にあっては、請求項１に記載の折り畳み椅子に加えて、前記一対の前記脚に対してそれぞれ水平方向に椅子内方に向けて回転して収納されてなる回転脚は、一方の回転脚が他方の回転脚に対して折り畳まれるように、前記一方の回転脚の幅厚を有する収納しろを他方の回転脚に設けているので、前記一方の回転脚と前記他方の回転脚を重ねて収納することができ、嵩張らず閉脚して収納することができる。
【００１２】
請求項３に記載の折り畳み椅子は、請求項１又は２に記載の折り畳み椅子に加えて、前記座面は、前記座面が椅子内方に向けて回転して収納されるときに、椅子内方に向けて回転して折り畳まれた前記２本の回転脚に重ねて収納できるように、前記架材に前記２つの回転脚の幅厚を有する収納しろを設けてなることを特徴とする。
【００１３】
請求項３に記載の折り畳み椅子にあっては、請求項１又は２に記載の折り畳み椅子に加えて、前記座面は、前記座面が椅子内方に向けて回転して収納されるときに、椅子内方に向けて回転して折り畳まれた前記２本の回転脚に重ねて収納できるように、前記架材に前記２つの回転脚の幅厚を有する収納しろを設けているので、前記座部は、前記２本の回転脚の上に重ねて収納することができ、嵩張らず閉脚して収納することができる。
【００１４】
請求項４に記載の折り畳み椅子は、請求項１乃至３の何れか一に記載の折り畳み椅子に加えて、前記一対の前記脚と、前記一対の脚に対してそれぞれ水平方向に椅子内方に向けて回転して収納されてなる回転脚を開脚状態に維持するように、開脚状態で前記回転脚間に嵌入される係止手段を備えてなることを特徴とする。
【００１５】
請求項４に記載の折り畳み椅子にあっては、請求項１乃至３の何れか一に記載の折り畳み椅子に加えて、前記一対の前記脚と、前記一対の脚に対してそれぞれ水平方向に椅子内方に向けて回転して収納されてなる回転脚を開脚状態に維持するように、開脚状態で前記回転脚間に嵌入される係止手段を備えているので、前記回転脚が揺動することなく開脚状態を維持することができるとともに、前記座部を持って持ち上げても、前記座部と前記脚部とが係止されているので、置き場所の位置変えや移動時に前記座部を持って容易に移動及び持ち運びができる。
【考案の効果】
【００１６】
請求項１に記載の折り畳み椅子に依れば、座部と少なくとも４本の脚を備える脚部とを備え、前記脚部は、一対の前記脚と、前記一対の脚に対してそれぞれ水平方向に椅子内方に向けて回転して収納されてなる回転脚とを有し、前記座部は、前記一対の脚間に横架される架材に対して垂直方向に椅子内方に向けて回転して収納されてなり、開脚状態において、前記座部は前記脚部の上部に載置されているので、前記座部に係る重量の大部を前記脚部により担うことになり、強度が担保される。また、少なくとも４本の脚は垂直に立設されるので、例えば、仏事等の荘厳性を必要される場合には好適な形状となる。
【００１７】
請求項２に記載の折り畳み椅子に依れば、請求項１に記載の折り畳み椅子に加えて、前記一対の前記脚に対してそれぞれ水平方向に椅子内方に向けて回転して収納されてなる回転脚は、一方の回転脚が他方の回転脚に対して折り畳まれるように、前記一方の回転脚の幅厚を有する収納しろを他方の回転脚に設けているので、前記一方の回転脚と前記他方の回転脚を重ねて収納することができ、嵩張らず閉脚して収納することができる。
【００１８】
請求項３に記載の折り畳み椅子に依れば、請求項１又は２に記載の折り畳み椅子に加えて、前記座面は、前記座面が椅子内方に向けて回転して収納されるときに、椅子内方に向けて回転して折り畳まれた前記２本の回転脚に重ねて収納できるように、前記架材に前記２つの回転脚の幅厚を有する収納しろを設けているので、前記座部は、前記２本の回転脚の上に重ねて収納することができ、嵩張らず閉脚して収納することができる。
【００１９】
請求項４に記載の折り畳み椅子に依れば、請求項１乃至３の何れか一に記載の折り畳み椅子に加えて、前記一対の前記脚と、前記一対の脚に対してそれぞれ水平方向に椅子内方に向けて回転して収納されてなる回転脚を開脚状態に維持するように、開脚状態で前記回転脚間に嵌入される係止手段を備えているので、前記回転脚が揺動することなく開脚状態を維持することができるとともに、前記座部を持って持ち上げても、前記座部と前記脚部とが係止されているので、置き場所の位置を変る場合や移動時において、前記座部を持って容易に移動及び持ち運びができる。
【図面の簡単な説明】
【００２０】
【図１】本考案に係る折り畳み椅子（使用状態）の斜視図である。
【図２】同折り畳み椅子の底面図である。
【図３】座部を裏面側からみた斜視図である。
【図４】脚部（背部を含む）の分解斜視図である。
【図５】座部及び脚部を開脚状態（使用状態）とした下方斜めからの斜視図である。
【図６】開脚状態（使用状態）から折り畳んだ状態への過程を示す斜視図（１）である。
【図７】開脚状態（使用状態）から折り畳んだ状態への過程を示す斜視図（２）である。
【図８】開脚状態（使用状態）から折り畳んだ状態への過程を示す斜視図（３）である。
【図９】折り畳んだ状態を示す斜視図である。
【考案を実施するための形態】
【００２１】
以下、本考案に係る水位表示装置を実施するための最良の実施形態について、図面に従って説明する。
【００２２】
図１は本考案に係る折り畳み椅子の斜視図であり、図２は折り畳み椅子の底面図であり、図３は座部を裏面側からみた斜視図であり、図４は脚部（背部を含む）の分解斜視図である。
【００２３】
図１乃至図４において、１０は本考案に係る折り畳み椅子であり、前記折り畳み椅子１０は、使用者が着座するための座部２０と、前記座部を支える脚部３０及び使用者の背中を支持するための背部４０を備える。
【００２４】
前記座部２０は、平坦面と側面とで略逆Ｌ字状に形成される前座枠２１ｄと側座枠２１ｂ，２１ｃと、前記平坦面と同厚の平板から形成される後座枠２１ａとからなる座枠２１で額縁状に形成され、前記前座枠２１ｄと前記後座枠２１ａとの長手方向における中央部に補強板２２を架設している。
【００２５】
前記前座枠２１ｄには、蝶番ＨＧにて長方形状の平板からなるストッパ２３が取り付けられている。前記ストッパ２３は、開脚状態において、後述する前記脚部３０（３０ｃ，３０ｄ）を、前記側座枠２１ｂ，２１ｃとで挟持できるように長さを設定している。
【００２６】
前記脚部３０は、前記座部２０の下方四隅に配置される一対の後脚３０ａ，３０ｂと前脚（回転脚）３０ｃ，３０ｄとを備えており、前記後脚３０ａ，３０ｂはそれぞれ上方に延長して背柱４０ａ，４０ｂを形成している。また、前記背柱４０ａ，４０ｂ間には背凭れ４０ｃを架設している。さらに、前記後脚３０ａ，３０ｂ間には下部には横桟３２ｆを架設し、上部には横桟３２ｅを架設している。
【００２７】
前記横桟３２ｅの長手方向中央部には前方に向かって突設するように前脚収納しろ５０ａが取り付けられており、前記前脚収納しろ５０ａの前端には２個の前記蝶番ＨＧ，ＨＧにより前記座部２０が回動自在に取り付けられている。
【００２８】
前記前脚（回転脚）３０ｃは、前記後脚３０ａに蝶番ＨＧ，ＨＧを介して取り付けるための軸柱３１ａを横桟３２ａ，３２ｂによって、全体として四角形状に組まれており、前記軸柱３１ａは、椅子の内方に向かって水平に開閉できるように前記蝶番ＨＧ，ＨＧによって前記後脚３０ａに取り付けられている。
【００２９】
一方、前記前脚（回転脚）３０ｄは、前記後脚３０ａに取り付けられた前脚収納しろ５０ｂに蝶番ＨＧ，ＨＧを介して取り付けるための軸柱３１ｂを横桟３２ｃ，３２ｄによって、全体として四角形状に組むように取り付けられており、前記軸柱３１ｄは、前記折り畳み椅子の内方に向かって水平に開閉できるように前記蝶番ＨＧ，ＨＧによって前記後脚３０ｂに設けられる前記前脚収納しろ５０ｂに取り付けられている。
【００３０】
前記前脚収納しろ５０ａの突設長さは、前記前脚（回転脚）３０ｃ，３０ｄを折り畳んだ上に重なるように折り畳むことができるように、前記前脚（回転脚）３０ｃと前記前脚（回転脚）３０ｄの横幅の長さと同等の長さとしている。また、前記前脚収納しろ５０ｂの縦幅は、前記前脚（回転脚）３０ｃを折り畳んだ上に前記前脚（回転脚）３０ｄが重なるように折り畳むことができるように、前記前脚（回転脚）３０ｃの横幅と同等の長さとしている。
【００３１】
図５は座部及び脚部を開脚状態（使用状態）とした下方斜めからの斜視図である。図５に示すように、前記折り畳み椅子１０は、使用状態において、前記前脚（回転脚）３０ｃ，３０ｄの上端部は、前記ストッパ２３の端部と前記側座枠２１ｂ，２１ｃの側面内側にて挟持され固定されており、これにより、前記前脚（回転脚）３０ｃ，３０ｄは容易に開閉しないように固定されている。
【００３２】
図６は開脚状態（使用状態）から折り畳んだ状態への過程を示す斜視図（１）であり、図７は開脚状態（使用状態）から折り畳んだ状態への過程を示す斜視図（２）であり、図８は開脚状態（使用状態）から折り畳んだ状態への過程を示す斜視図（３）であり、図９は折り畳んだ状態を示す斜視図である。
【００３３】
前記折り畳み椅子１０を折り畳む場合は、先ず、図６に示すように、前記ストッパ２３を手前側に開き、前記前脚（回転脚）３０ｃ，３０ｄを可動状態にする。
【００３４】
次に、図７に示すように、一方の前記前脚（回転脚）３０ｃ（前記前脚収納しろ５０ｂを設けていない方）を椅子内方に向けて折り畳む。このとき、前記前脚収納しろ５０ｂの厚さは前記前脚（回転脚）３０ｃの横幅と略同寸に形成されているので、前記前脚（回転脚）３０ｃの側面と前記前脚収納しろ５０ｂの前面とが略同面となる。
【００３５】
次に、図８に示すように、前記前脚（回転脚）３０ｄを椅子内方に向けて折り畳む。このとき、前記前脚収納しろ５０ｂの厚さは前記前脚（回転脚）３０ｃの横幅と略同寸に形成されているので、前記前脚（回転脚）３０ｄは前記前脚（回転脚）３０ｃと重なるように折り畳まれる。
【００３６】
そして、最後に、図９に示すように、前記座部０２を椅子下方に向けて折り畳む。このとき、前記前脚収納しろ５０ａの突設長さは前記前脚（回転脚）３０ｃと前記前脚（回転脚）３０ｄの横幅を足した寸法と略同寸にて形成されていので、前記座部２０は前記前脚（回転脚）３０ｃと前記前脚（回転脚）３０ｄの上に重なるように折り畳むことができるのである。
【００３７】
本考案は、以上の構成からなるので、前記座部２０に係る重量の大部を前記脚部３０（３０ａ〜３０ｄ）により担うことになり、強度が担保される。また、少なくとも４本の前記脚３０（３０ａ〜３０ｄ）は垂直に立設されるので、例えば、仏事等の荘厳性を必要される場合には好適となる。
【００３８】
また、前記前脚（回転脚）３０ｄを椅子内方に向けて折り畳むとき、前記前脚収納しろ５０ｂの厚さは前記前脚（回転脚）３０ｃの横幅と略同寸に形成されているので、前記前脚（回転脚）３０ｄは前記前脚（回転脚）３０ｃと重なるように折り畳まれると共に、前記座部０２を椅子下方に向けて折り畳むとき、前記前脚収納しろ５０ａの突設長さは前記前脚（回転脚）３０ｃと前記前脚（回転脚）３０ｄの横幅を足した寸法と略同寸にて形成されていので、前記座部２０は前記前脚（回転脚）３０ｃと前記前脚（回転脚）３０ｄの上に重なるように折り畳むことができ、コンパクトに収納することができるのである。
【符号の説明】
【００３９】
１０  折り畳み椅子
２０  座部
２１  座枠
２１ａ  後座枠
２１ｂ  側座枠
２１ｃ  側座枠
２１ｄ  前座枠
２２  補強板
２３  ストッパ
３０  脚部
３０ａ  後脚
３０ｂ  後脚
３０ｃ  前脚（回転脚）
３０ｄ  前脚（回転脚）
３１ａ  軸柱
３１ｂ  軸柱
３２ａ  横桟
３２ｂ  横桟
３２ｃ  横桟
３２ｄ  横桟
３２ｅ  横桟
３２ｆ  横桟
４０  背部
４０ａ  背柱
４０ｂ  背柱
４０ｃ  背凭れ
５０ａ  前脚収納しろ（座部側）
５０ｂ  前脚収納しろ（脚部側）
ＨＧ  蝶番
【図１】
0003203554.tif 000003
【図２】
0003203554.tif 000004
【図３】
0003203554.tif 000005
【図４】
0003203554.tif 000006
【図５】
0003203554.tif 000007
【図６】
0003203554.tif 000008
【図７】
0003203554.tif 000009
【図８】
0003203554.tif 000010
【図９】
0003203554.tif 000011
【手続補正書】
【提出日】平成28年2月3日(2016.2.3)
【手続補正１】
【補正対象書類名】実用新案登録請求の範囲
【補正対象項目名】請求項３
【補正方法】変更
【補正の内容】
【請求項３】
前記座部は、前記座部が椅子内方に向けて回転して収納されるときに、前記一対の脚に対してそれぞれ水平方向に椅子内方に向けて回転して収納されてなる回転脚に重ねて収納できるように、前記回転脚の幅厚を有する収納しろを設けてなることを特徴とする請求項１又は２に記載の折り畳み椅子。
【手続補正２】
【補正対象書類名】明細書
【補正対象項目名】００１３
【補正方法】変更
【補正の内容】
【００１３】
請求項３に記載の折り畳み椅子にあっては、請求項１又は２に記載の折り畳み椅子に加えて、前記座部は、前記座部が椅子内方に向けて回転して収納されるときに、前記一対の脚に対してそれぞれ水平方向に椅子内方に向けて回転して収納されてなる回転脚に重ねて収納できるように、前記回転脚の幅厚を有する収納しろを設けているので、前記座部は、前記２本の回転脚の上に重ねて収納することができ、嵩張らず閉脚して収納することができる。
【手続補正３】
【補正対象書類名】明細書
【補正対象項目名】００１８
【補正方法】変更
【補正の内容】
【００１８】
請求項３に記載の折り畳み椅子に依れば、請求項１又は２に記載の折り畳み椅子に加えて、前記座部は、前記座部が椅子内方に向けて回転して収納されるときに、前記一対の脚に対してそれぞれ水平方向に椅子内方に向けて回転して収納されてなる回転脚に重ねて収納できるように、前記回転脚の幅厚を有する収納しろを設けているので、前記座部は、前記２本の回転脚の上に重ねて収納することができ、嵩張らず閉脚して収納することができる。